(57)【要約】【課題】本発明が解決しようとする課題は、入金に関するデータ形成が各メーカーの入金機間で異なっても、正しくデータを管理できる情報処理装置およびプログラムを提供することである。【解決手段】実施形態の情報処理装置は、入金機に入金された貨幣の金銭的価値情報を、前記入金の際に入力された識別情報または当該入力された識別情報から変化した識別情報とともに入力する入力手段と、入力された前記変化した識別情報を変化する前の前記入金の際に入力された識別情報に戻す戻し手段と、前記入金の際に入力された識別情報に基づいて前記金銭的価値情報を管理する管理手段と、を備える。【選択図】図６
2015185044.tif 000002
【特許請求の範囲】
【請求項１】
入金機に入金された貨幣の金銭的価値情報を、前記入金の際に入力された識別情報または当該入力された識別情報から変化した識別情報とともに入力する入力手段と、
入力された前記変化した識別情報を変化する前の前記入金の際に入力された識別情報に戻す戻し手段と、
前記入金の際に入力された識別情報に基づいて前記金銭的価値情報を管理する管理手段と、
を備えた情報処理装置。
【請求項２】
前記入金の際に入力された識別情報に関連付けられた前記金銭的価値情報を前記戻し手段を実行せずに管理のために取込むことを宣言する第１ボタンと、
前記変化した識別情報に関連付けられた前記金銭的価値情報を前記戻し手段を実行して管理するために取込むことを宣言する第２ボタンと、
を表示する表示手段、
をさらに備えた請求項１に記載の情報処理装置。
【請求項３】
前記管理手段は、前記戻し手段によって戻された前記入金の際に入力された識別情報を、前記入金の際に入力された識別情報とみなし、両識別番号が同一である場合、両識別番号とともに入力された前記価値情報の価値を合算する、
請求項１または２に記載の情報処理装置。
【請求項４】
前記戻し手段は、前記入金の際に入力された識別情報の下１桁が０であって、当該下１桁が欠落した識別情報に変化した場合に、前記変化した識別情報を１０倍して前記入金の際に入力された識別情報に戻す、
請求項１乃至３のいずれか一に記載の情報処理装置。
【請求項５】
前記入金の際に入力された識別情報と当該入金の際に入力された識別情報から変化する識別情報を対応付けて記憶するテーブルを備え、
前記戻し手段は、前記テーブルを参照して、前記変化した識別情報を前記入金の際に入力された識別情報に戻す、
請求項１乃至３のいずれか一に記載の情報処理装置。
【請求項６】
コンピュータを、
入金機に入金された貨幣の価値情報を、前記入金の際に入力された識別情報または当該入力された識別情報から変化した識別情報とともに入力する入力手段と、
入力された前記変化した識別情報を変化する前の前記入金の際に入力された識別情報に戻す戻し手段と、
前記入金の際に入力された識別情報に基づいて前記価値情報を管理する管理手段と、
として機能させるためのプログラム。
【発明の詳細な説明】
【技術分野】
【０００１】
本発明の実施形態は、情報処理装置およびプログラムに関する。
【背景技術】
【０００２】
近年、特に大型のショッピングモールやスーパーマーケット等の店舗は、店舗に出店しているテナントの売上管理を目的として、各テナントの売上金を回収している。各テナントは、店舗のバックヤードに設置された複数の入金機に商品券を含めた売上金等を入金している。入金機に入金された入金額は、入金元であるテナントを識別する識別情報と関連付けて情報処理装置である管理サーバで管理される。
【０００３】
ところが、店舗に複数のメーカーの入金機を混在して設置した場合、入金に関するデータ形成が各メーカーの入金機間で異なってしまい、情報処理装置で正しく管理できないという問題がある。
【発明の概要】
【発明が解決しようとする課題】
【０００４】
本発明が解決しようとする課題は、入金に関するデータ形成が各メーカーの入金機間で異なっても、正しくデータを管理できる情報処理装置およびプログラムを提供することである。
【課題を解決するための手段】
【０００５】
実施形態の情報処理装置は、入金機に入金された貨幣の金銭的価値情報を、前記入金の際に入力された識別情報または当該入力された識別情報から変化した識別情報とともに入力する入力手段と、入力された前記変化した識別情報を変化する前の前記入金の際に入力された識別情報に戻す戻し手段と、前記入金の際に入力された識別情報に基づいて前記金銭的価値情報を管理する管理手段と、を備える。
【０００６】
実施形態のプログラムは、コンピュータを、入金機に入金された貨幣の価値情報を、前記入金の際に入力された識別情報または当該入力された識別情報から変化した識別情報とともに入力する入力手段と、入力された前記変化した識別情報を変化する前の前記入金の際に入力された識別情報に戻す戻し手段と、前記入金の際に入力された識別情報に基づいて前記価値情報を管理する管理手段と、として機能させる。
【図面の簡単な説明】
【０００７】
【図１】図１は、実施形態のシステムを示す図である。
【図２】図２は、現金入金機のハードウェア構成を示すブロック図である。
【図３】図３は、管理サーバのハードウェア構成を示すブロック図である。
【図４】図４は、現金入金機の制御処理の流れを示すフローチャートである。
【図５】図５は、管理サーバの機能構成を示す機能ブロック図である。
【図６】図６は、管理サーバの制御処理の流れを示すフローチャートである。
【図７】図７は、管理サーバの画面表示の一例を示す図である。
【発明を実施するための形態】
【０００８】
以下、図を参照して、実施形態に係る情報処理装置およびプログラムを詳細に説明する。この実施形態では、情報処理装置として管理サーバを用いて説明する。
【０００９】
図１は、実施形態の管理サーバを含むシステムを示す図である。図１において、店舗１には、複数のテナント２が出店している。テナントとは、店舗１と賃貸契約を締結して店舗の一部を借り受けて店を出して営業活動をする事業者をいい、例えば、レストラン、喫茶店、ファッションショップ、グッズショップ等がある。
【００１０】
このようなテナント２には、テナント２で販売する商品を登録処理する複数台のＰＯＳ（Point  of  Sales）端末４、顧客から預かった現金や商品券等（以降総称して「貨幣」という）や顧客に手渡す釣銭等を収納する釣銭機５、およびＰＯＳ端末４からの販売データを収集する店舗サーバ３が設置されている。
【００１１】
ＰＯＳ端末４は、商品に付されたコードを読み取って入力された商品コードに基づいて図示しない商品マスタを検索し、取得した商品情報（商品名、単価等）に基づいて商品登録処理を実行し、販売データを生成する。釣銭機５は、ＰＯＳ端末４と通信回線で接続されており、販売データに基づいて顧客から預かった貨幣を収納し、顧客に手渡す釣銭を払出す機能を有する。また、釣銭機５は、事前に収納している準備金と、収納した貨幣と、払出した釣銭とから、釣銭機５に収納している貨幣を管理する。
【００１２】
店舗サーバ３は、ＰＯＳ端末４とテナント２内に設けられたＬＡＮ（Local  Area  Network）等の通信回線で接続されており、各ＰＯＳ端末４から受信した販売データを収集して店舗の売上を管理する。また、店舗サーバ３は、各ＰＯＳ端末４に対して商品マスタ等のデータを配信する。
【００１３】
また店舗１には、商品を陳列する売り場から区画されたバックヤード６に、現金入金機７、商品券入金機９、管理サーバ８を備えている。現金入金機７、商品券入金機９、管理サーバ８は、互いにＬＡＮ等の通信回線１０で電気的に接続されている。また、現金入金機７、商品券入金機９、管理サーバ８は、通信回線１０を介して、各テナント２の店舗サーバ３に接続されている。
【００１４】
現金入金機７は現金を入金して蓄積する。また、現金入金機７は、入金された現金をカウントして入金額を把握する。実施形態では、現金入金機７として、Ａ社製のＡ社現金入金機７ａとＢ社製のＢ社現金入金機７ｂの２種類の現金入金機７を備えている。操作者は、現金を入金する際、入金者を識別するための識別番号（識別情報）を現金入金機７に入力する。識別番号は、現金入金機７に設けられたカードリーダ７９（図２を参照）に対して、例えば４桁の識別番号が記憶された識別カードを走査することで入力される。現金入金機７は、入力された識別番号と、入金された入金額と、Ａ社現金入金機７ａまたはＢ社現金入金機７ｂのいずれかを特定する特定情報を、通信回線１０を介して管理サーバ８に送信する。
【００１５】
実施形態では、Ａ社現金入金機７ａは、識別カードから読み取って入力された４桁の識別番号（例えば「１２３０」）をそのまま管理サーバ８に送信する。Ｂ社現金入金機７ｂは、仕様上の関係から、識別カードから読み取って入力された４桁の識別番号を３ケタの識別番号に変化させ（例えば「１２３０」の識別番号の下１桁を省略して「１２３」と変化させる）、変化した識別番号を管理サーバ８に送信する。実施形態では、すべての識別番号の下１桁（末尾）の番号は「０」である。
【００１６】
商品券入金機９は、顧客から預かった商品券を入金する。商品券入金機９は、入金された商品券に付されたバーコードを読み取って、商品券の額面額を入金額として把握する。操作者は、商品券を入金する際、入金者を識別するための識別番号（識別情報）を入力する。識別番号は、商品券入金機９に設けられたカードリーダ（図示せず）に対して、識別番号が記憶された識別カードを走査することで入力される。商品券入金機９は、入力された識別番号と入金された入金額を、通信回線１０を介して管理サーバ８に送信する。
【００１７】
管理サーバ８は、現金入金機７および商品券入金機９から受信した、識別番号と入金額データを記憶した入金ファイルを、入金ファイル部８４２に記憶する（詳細は図３を用いて後述する）。
【００１８】
管理サーバ８は、記憶した識別番号および入金額データに基づいて、識別番号に対応させて入金額を管理する。具体的には、管理サーバ８は、同一の識別番号が付された入金額を合計して管理する。
【００１９】
次に、図２を用いて、現金入金機７（７ａと７ｂはハードウェア的には同一構造）のハードウェアについて説明する。図２において、現金入金機７は、制御主体となるＣＰＵ（Central  Processing  Unit）７１、各種プログラムを記憶するＲＯＭ（Read  Only  Memory）７２、各種データを展開するＲＡＭ（Random  Access  Memory）７３、各種プログラムを記憶するメモリ部７４等を備えており、ＣＰＵ７１、ＲＯＭ７２、ＲＡＭ７３、メモリ部７４は、互いにデータバス７５を介して接続されている。ＣＰＵ７１とＲＯＭ７２とＲＡＭ７３が、制御部７００を構成する。すなわち、制御部７００は、ＣＰＵ７１がＲＯＭ７２やメモリ部７４に記憶されＲＡＭ７３に展開された制御プログラム７４１に従って動作することによって、後述する制御処理を実行する。
【００２０】
ＲＡＭ７３は、識別情報記憶部７３１とファイル記憶部７３２を有している。識別情報記憶部７３１は、カードリーダ７９によって読み取られた識別カードに記憶されている識別番号を記憶する。ファイル記憶部７３２は、入金部９０から入金された現金での入金額情報を記憶する。
【００２１】
メモリ部７４は、電源を切っても記憶情報が保持されるＨＤＤ（Hard  Disk  Drive）やフラッシュメモリ等の不揮発性メモリで構成され、制御プログラム７４１を含むプログラム等を記憶する。
【００２２】
また、データバス７５には、操作部７７、表示部７８、カードリーダ７９、入金部９０が、コントローラ７６を介して接続されている。
【００２３】
操作部７７は、種々の操作キーを備えている。表示部７８は、入金した入金額等を表示する。カードリーダ７９は、例えば磁気的に情報を読み取る読取ヘッドを有しており、走査された識別カードに記憶された識別情報を読み取る。入金部９０は、投入された現金の額を読み取る読取部（図示せず）を備えている。読取部は、磁気式センサおよび光学式センサを有しており、当該センサによって投入された貨幣を識別して現金の額を合計する。
【００２４】
また、データバス７５は、通信回線１０と電気的に接続する通信Ｉ／Ｆ（Interface）９１を接続している。通信Ｉ／Ｆ９１は、通信回線１０を介して管理サーバ８等と接続している。現金入金機７は、識別情報記憶部７３１に記憶されている識別番号と、ファイル記憶部７３２に記憶されている入金部９０から入金された入金額とを関連付けた入金ファイルを作成して、通信Ｉ／Ｆ９１から通信回線１０を介して管理サーバ８に送信する。
【００２５】
なお、商品券入金機９は、基本的に現金入金機７と同様の構成である。ただし、商品券入金機９の入金部（図示せず）は、商品券に印刷されたバーコードを光学的に読取って商品券の価値である額面額を入金額として入力する構成となっている。商品券入金機９は、入金部で入力した入金額を合計する。商品券入金機９は、識別番号と入金部から入金された入金額とを関連付けた入金ファイルを作成して、通信Ｉ／Ｆから通信回線１０を介して管理サーバ８に送信する。
【００２６】
なお、現金入金機７で作成した入金ファイル、および商品券入金機９で作成した入金ファイルを、ＵＳＢメモリやＣＤ−ＲＯＭ等の記憶媒体に記憶して、この記憶媒体に記憶されているデータを管理サーバ８で読み取って入力するようにしてもよい。
【００２７】
次に、図３を用いて、管理サーバ８のハードウェアについて説明する。図３において、管理サーバ８は、制御主体となるＣＰＵ８１、各種プログラムを記憶するＲＯＭ８２、各種データを展開するＲＡＭ８３、各種プログラムを記憶するメモリ部８４等を備えており、ＣＰＵ８１、ＲＯＭ８２、ＲＡＭ８３、メモリ部８４は、互いにデータバス８５を介して接続されている。ＣＰＵ８１とＲＯＭ８２とＲＡＭ８３が、制御部８００を構成する。すなわち、制御部８００は、ＣＰＵ８１がＲＯＭ８２やメモリ部８４に記憶されＲＡＭ８３に展開された制御プログラム８４１に従って動作することによって、後述する制御処理を実行する。
【００２８】
メモリ部８４は、電源を切っても記憶情報が保持されるＨＤＤやフラッシュメモリ等の不揮発性メモリで構成され、制御プログラム８４１を含むプログラム等を記憶する。さらにメモリ部８４は、入金ファイル部８４２と入金合計部８４３を有している。
【００２９】
入金ファイル部８４２は、現金入金機７または商品券入金機９から入力した、識別番号と入金額を対応付けて記憶した入金ファイルを、ファイル毎に記憶する。入金合計部８４３は、受信した入金ファイルに基づいた入金額を、識別番号に対応させて記憶して管理する。さらには、受信した識別番号のうち、同一の識別番号に対応する入金額を加算した合計金額を管理をする。
【００３０】
また、データバス８５には、操作表示部８８が、コントローラ８６を介して接続されている。
【００３１】
操作表示部８８は、Ａ社現金入金機７ａおよび商品券入金機９から受信した入金ファイルと、Ｂ社現金入金機７ｂから受信した入金ファイルを個別に取込むためのボタン（図７を参照）を表示する。
【００３２】
また、データバス８５は、通信回線１０と電気的に接続する通信Ｉ／Ｆ８９を接続している。通信Ｉ／Ｆ８９は、通信回線１０を介して管理サーバ８等と接続している。
【００３３】
続いて、図４〜図７を用いて、実施形態の制御について説明する。図４は、現金入金機７の制御処理の流れを示すフローチャートである。基本的には、Ａ社現金入金機７ａとＢ社現金入金機７ｂとも、図４に示したフローチャートの制御を実行する。制御部７００が、ＲＯＭ７２やメモリ部７４に記憶された制御プログラム７４１を含む各種プログラムに従って以下の制御を実行する。なお、商品券入金機９の制御部（図示せず）も図４の制御と同様の制御を実行する。
【００３４】
図４において、制御部７００は、カードリーダ７９に識別カードを読み取らせることで、識別カードに記憶されている識別番号が入力されたか否かを判断する（ステップＳ１１）。制御部７００は、識別番号が入力されるまで待機し（ステップＳ１１のＮｏ）、識別番号が入力されたと判断した場合は（ステップＳ１１のＹｅｓ）、入力した識別番号を識別情報記憶部７３１に記憶する（ステップＳ１２）。次に制御部７００は、入金部９０から現金での入金があったか否かを判断する（ステップＳ１３）。操作者は、例えば、テナント２の閉店時刻等の所定のタイミングになると、釣銭機５に収納されている貨幣を回収して、現金を現金入金機７に入金し、商品券を商品券入金機９に入金する。制御部７００は、現金での入金があったと判断した場合は（ステップＳ１３のＹｅｓ）、入金された入金額に基づいて入金ファイルを作成する（ステップＳ１４）。
【００３５】
制御部７００は、入金ファイルに対して、入金した現金入金機７がＡ社現金入金機７ａである場合には、Ａ社現金入金機７ａであることが分かるファイル名を付す。また、制御部７００は、入金ファイルに対して、入金した現金入金機７がＢ社現金入金機７ｂである場合には、Ｂ社現金入金機７ｂであることが分かるファイル名を付す。また、入金ファイルは、識別情報記憶部７３１に記憶した識別番号の情報も含む。そして制御部７００は、作成した入金ファイルをファイル記憶部７３２に記憶する（ステップＳ１５）。
【００３６】
なお、ステップＳ１４において入力ファイルを作成する際、Ａ社現金入金機７ａは、入力された識別番号の値をそのまま入金ファイルに記憶する。一方、Ｂ社現金入金機７ｂは、入力された識別番号の値の下１桁を省略して入金ファイルに記憶する。
【００３７】
次に制御部７００は、入金が確定したか否かを判断する（ステップＳ１６）。制御部７００は、例えば、現金入金機７への入金を終了したことを示す終了ボタンが操作された場合に入金が確定したと判断する。入金が確定したと判断した場合は（ステップＳ１６のＹｅｓ）、制御部７００は、ファイル記憶部７３２に記憶されている入金ファイルを管理サーバ８に送信する（ステップＳ１７）。そして制御部７００は、処理を終了する。
【００３８】
なお、ステップＳ１６において、入金が確定していないと判断した場合は（ステップＳ１６のＮｏ）、制御部７００は、ステップＳ１３に戻って次の入金の入力を待機する。また、ステップＳ１３において入金はないと判断した場合は（ステップＳ１３のＮｏ）、制御部７００は、ステップＳ１４とステップＳ１５を実行することなくステップＳ１６を実行する。
【００３９】
続いて、図５〜図７を用いて、管理サーバ８の制御処理について説明する。図５は、管理サーバ８の機能構成を示す機能ブロック図である。制御部８００が、ＲＯＭ８２やメモリ部８４に記憶された制御プログラム８４１を含む各種プログラムに従うことで、入力手段８０１、戻し手段８０２、管理手段８０３、表示手段８０４を機能させる。
【００４０】
入力手段８０１は、入金機に入金された貨幣の金銭的価値情報を、入金の際に入力された識別情報または当該入力された識別情報から変化した識別情報とともに入力する機能を有する。
【００４１】
戻し手段８０２は、入力された変化した識別情報を変化する前の前記入金の際に入力された識別情報に戻す機能を有する。
【００４２】
管理手段８０３は、入金の際に入力された識別情報に基づいて金銭的価値情報を管理する機能を有する。
【００４３】
表示手段８０４は、入金の際に入力された識別情報に関連付けられた金銭的価値情報を戻し手段８０２を実行せずに管理のために取込むことを宣言する第１ボタンと、変化した識別情報に関連付けられた金銭的価値情報を戻し手段８０２を実行して管理するために取込むことを宣言する第２ボタンと、を表示する機能を有する。
【００４４】
図６は、管理サーバ８の制御処理の流れを示すフローチャートである。図６において、制御部８００は、ステップＳ１７で現金入金機７が送信した入金ファイルを受信したか否かを判断する（ステップＳ２１）。制御部８００は、入金ファイルを受信したと判断した場合は（ステップＳ２１のＹｅｓ）、受信した入金ファイルを入金ファイル部８４２に記憶する（ステップＳ２２）。そして制御部８００は処理を終了する。
【００４５】
一方、入金ファイルを受信していないと判断した場合は（ステップＳ２１のＮｏ）、制御部８００は、操作表示部８８に表示された図示しない表示ボタンを操作したか否かを判断する（ステップＳ３１）。表示ボタンが操作されたと判断した場合は（ステップＳ３１のＹｅｓ）、制御部８００は、入金ファイル部８４２に記憶されているすべての入金ファイルを操作表示部８８に表示する（ステップＳ３２）。制御部８００は、ファイル名とともに入金ファイルを表示するため、操作者は、ファイル名を見て、ファイル毎にＡ社現金入金機７ａから送信された入金ファイルかＢ社現金入金機７ｂから送信された入金ファイルであるかを判別できる。
【００４６】
ここで操作者は、操作表示部８８に表示された入金ファイルから、Ａ社現金入金機７ａから送信された入金ファイル、またはＢ社現金入金機７ｂから送信された入金ファイルのいずれか一方の種類を選択してファイルを指定する。制御部８００は、入金ファイルが指定されたか否かを判断する（ステップＳ３３）。制御部８００は、入金ファイルが指定されるまで待機し（ステップＳ３３のＮｏ）、入金ファイルが指定されたと判断した場合（ステップＳ３３のＹｅｓ）、表示手段８０４は、指定された入金ファイルの取り込みを宣言するための第１ボタンおよび第２ボタンを操作表示部８８に表示する（ステップＳ３４）。
【００４７】
図７は、操作表示部８８に表示された、指定された入金ファイルの取り込みを実行するための実行ボタンを示す図である。図７において、第１ボタンであるＡ社ボタン８８１は、Ａ社現金入金機７ａから送信された入金ファイルの取込みを実行するボタンである。また、第２ボタンであるＢ社ボタン８８２は、Ｂ社現金入金機７ｂから送信された入金ファイルの取込みを実行するボタンである。
【００４８】
Ａ社現金入金機７ａから送信された入金ファイルを取込む場合は、操作者は、操作表示部８８に表示された入金ファイルから、ファイル名を見ながらＡ社現金入金機７ａから送信された入金ファイルを指定する。そして操作者は、Ａ社ボタン８８１を操作し、入金ファイルを取込む。一方、Ｂ社現金入金機７ｂから送信された入金ファイルを取込む場合は、操作者は、操作表示部８８に表示された入金ファイルから、ファイル名を見ながらＢ社現金入金機７ｂから送信された入金ファイルを指定する。そして操作者は、Ｂ社ボタン８８２を操作し、入金ファイルを取込む。
【００４９】
制御部８００は、Ａ社ボタン８８１が操作されたか否かを判断する（ステップＳ３５）。Ａ社ボタン８８１が操作されたと判断した場合は（ステップＳ３５のＹｅｓ）、制御部８００（管理手段８０３）は、指定した入金ファイルに含まれる識別番号について、同じ識別番号の入金額を合計して、識別番号毎に合計した入金額を入金合計部８４３に記憶する（ステップＳ３６）。指定した入金ファイルに含まれる識別番号に、すでに入金合計部８４３に記憶されている識別番号と同じ識別番号がある場合は、すでに記憶されている入金額に新たな入金額をさらに加算する。
【００５０】
一方、Ａ社ボタン８８１が操作されていないと判断した場合は（ステップＳ３５のＮｏ）、制御部８００は、Ｂ社ボタン８８２が操作されたか否かを判断する（ステップＳ４１）。Ｂ社ボタン８８２が操作されたと判断した場合は（ステップＳ４１のＹｅｓ）、制御部８００（戻し手段８０２）は、ステップＳ３３で指定されたすべての入金ファイルについて、入金ファイルに含まれている識別番号を１０倍する（ステップＳ４２）。例えば、識別番号「１２３」の場合は「１２３０」とする。
【００５１】
このようにすることで、Ｂ社現金入金機７ｂから管理サーバ８に入金ファイルが送信される際に、Ｂ社現金入金機７ｂが入金部９０から入金の際に入力された識別番号の数値の下１桁を省略した識別番号を、制御部８００がステップＳ４２の処理を実行することで、変化する前のＢ社現金入金機７ｂへの入金の際に入力された識別番号の形に戻す制御を実行する。
【００５２】
次に制御部８００は、ステップＳ３６の処理を実行するが、その際、ステップＳ４２で１０倍して元に戻したＢ社現金入金機７ｂから管理サーバ８に送信された識別番号と、１０倍しないＡ社現金入金機７ａから管理サーバ８に送信された識別番号とに基づいて、同じ識別番号の入金額を合計して、識別番号毎に合計した入金額を入金合計部８４３に記憶する。すでに入金合計部８４３に記憶されている識別番号と同じ識別番号がある場合は、対応してすでに記憶されている入金額に新たな入金額をさらに加算する。
【００５３】
なお、ステップＳ３１において、操作表示部８８に表示された表示ボタンを操作していないと判断した場合は（ステップＳ３１のＮｏ）、制御部８００は、ステップＳ２１に戻って待機する。また、ステップＳ４１において、Ｂ社ボタン８８２が操作されていないと判断した場合は（ステップＳ４１のＮｏ）、制御部８００は、ステップＳ３５に戻って待機する。
【００５４】
なお、実施形態では、Ｂ社現金入金機７ｂから入力し、下１桁を省略した識別番号を下１桁を「０」で管理するとともに、１０倍するようにしたが、例えば、変化した識別番号と変化前の識別番号とを１対１に対応させたテーブルを識別番号毎に記憶し、Ｂ社現金入金機７ｂから入力して変化した識別番号について、当該テーブルを参照して、変化前の識別番号を決定するようにしてもよい。
【００５５】
このような実施形態によれば、Ｂ社現金入金機７ｂから入力した識別番号が変化して管理サーバ８に送信された場合でも、管理サーバ８で、例えば変化した管理番号を１０倍すること、あるいはテーブルを参照して変化前の識別番号を決定することで、Ａ社現金入金機７ａから入力した識別番号と同一の識別番号に戻し、同一の識別番号に対応して入力された入金額を合計して管理することができる。
【００５６】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００５７】
実施形態では、識別情報として識別番号を例として説明したが、識別番号以外の、例えば、入金を特定できる識別コード等の識別情報であってもよい。
【００５８】
また、実施形態では、Ｂ社現金入金機７ｂに入力される識別番号を変化するようにしたが、Ａ社現金入金機７ａに入力される識別番号を変化するようにしてもよい。また、商品券入金機９を、メーカーによって識別番号を変化するようにしてもよい。
【００５９】
なお、実施形態の情報処理装置で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６０】
また、実施形態の情報処理装置で実行されるプログラムを、インターネット等のネットワークに接続されたコンピュータ上に格納し、ネットワーク経由でダウンロードさせることにより提供するように構成しても良い。また、実施形態の情報処理装置で実行されるプログラムをインターネット等のネットワーク経由で提供または配布するように構成しても良い。
【００６１】
また、実施形態の情報処理装置で実行されるプログラムを、ＲＯＭ等に予め組み込んで提供するように構成してもよい。
【符号の説明】
【００６２】
７  現金入金機
８  管理サーバ
９  商品券入金機
７１  ＣＰＵ
８１  ＣＰＵ
７００  制御部
８００  制御部
８０１  入力手段
８０２  戻し手段
８０３  管理手段
８０４  表示手段
【先行技術文献】
【特許文献】
【００６３】
【特許文献１】特開２０１３−１７８６７２号公報
【図１】
2015185044.tif 000003
【図２】
2015185044.tif 000004
【図３】
2015185044.tif 000005
【図４】
2015185044.tif 000006
【図５】
2015185044.tif 000007
【図６】
2015185044.tif 000008
【図７】
2015185044.tif 000009